(57)【要約】【課題】Dual Connectivityにおいて上りリンクデータを効率的に送信することを目的とする。【解決手段】複数の基地局の配下のコンポーネントキャリアを用いて通信する移動局は、基地局から、上りリンクデータのデータ量の報告方法に関する設定情報を受信する受信部と、送信バッファに格納されている上りリンクデータのデータ量を管理するバッファ状態管理部と、上りリンクデータのデータ量をマスター基地局とセカンダリ基地局との双方に報告することが前記設定情報によって禁止されているか否かを判断し、禁止されている場合、上りリンクデータのデータ量を報告する基地局が前記設定情報によって指定されているか否かを更に判断し、指定されている場合には当該指定された基地局を上りリンクデータのデータ量の送信先として選択する送信制御部と、選択された基地局に上りリンクデータのデータ量を報告する送信部とを有する。【選択図】図７
2018093536.tif 000002
【特許請求の範囲】
【請求項１】
複数の基地局の配下のコンポーネントキャリアを用いて通信する移動局であって、
基地局から、上りリンクデータのデータ量の報告方法に関する設定情報を受信する受信部と、
送信バッファに格納されている上りリンクデータのデータ量を管理するバッファ状態管理部と、
上りリンクデータのデータ量をマスター基地局とセカンダリ基地局との双方に報告することが前記設定情報によって禁止されているか否かを判断し、禁止されている場合、上りリンクデータのデータ量を報告する基地局が前記設定情報によって指定されているか否かを更に判断し、指定されている場合には当該指定された基地局を上りリンクデータのデータ量の送信先として選択する送信制御部と、
選択された基地局に上りリンクデータのデータ量を報告する送信部と、
を有する移動局。
【請求項２】
前記受信部は、マスター基地局からのＲＲＣ（Radio Resource Control）シグナリングにより設定情報を受信する、請求項１に記載の移動局。
【請求項３】
複数の基地局の配下のコンポーネントキャリアを用いて通信する移動局での上りリンクデータ量報告方法であって、
基地局から、上りリンクデータのデータ量の報告方法に関する設定情報を受信するステップと、
送信バッファに格納されている上りリンクデータのデータ量を管理するステップと、
上りリンクデータのデータ量をマスター基地局とセカンダリ基地局との双方に報告することが前記設定情報によって禁止されているか否かを判断し、禁止されている場合、上りリンクデータのデータ量を報告する基地局が前記設定情報によって指定されているか否かを更に判断し、指定されている場合には当該指定された基地局を上りリンクデータのデータ量の送信先として選択するステップと、
選択された基地局に上りリンクデータのデータ量を報告するステップと、
を有する上りリンクデータ量報告方法。
【発明の詳細な説明】
【技術分野】
【０００１】
本発明は、移動局、基地局、上りリンクデータ量報告方法及び上りリンクデータのリソース割り当て方法に関する。
【背景技術】
【０００２】
現在、３ＧＰＰ（3rd Generation Partnership Project）は、ＬＴＥ（Long Term Evolution）の次世代の通信規格として、ＬＴＥ−Ａｄｖａｎｃｅｄの高機能化を図る仕様策定を進めている。ＬＴＥ−Ａｄｖａｎｃｅｄシステムでは、ＬＴＥシステムとのバックワードコンパチビリティを確保しつつ、ＬＴＥシステムを上回るスループットを実現するため、キャリアアグリゲーション（ＣＡ：Carrier Aggregation）技術が導入される。キャリアアグリゲーションでは、ＬＴＥシステムによりサポートされている２０ＭＨｚの最大帯域幅を有するコンポーネントキャリア（ＣＣ：Component Carrier）が基本コンポーネントとして利用され、これら複数のコンポーネントキャリアを同時に用いることによって、より広帯域な通信を実現することが図られている。
【０００３】
キャリアアグリゲーションでは、移動局（ＵＥ：User Equipment）は、複数のコンポーネントキャリアを同時に用いて基地局（ｅＮＢ：evolved NodeB）と通信することが可能である。キャリアアグリゲーションでは、移動局との接続性を担保する信頼性の高いプライマリセル（ＰＣｅｌｌ：Primary Cell）と、プライマリセルに接続中の移動局に追加的に設定されるセカンダリセル（ＳＣｅｌｌ：Secondary Cell）とが設定される。
【０００４】
プライマリセルは、ＬＴＥシステムのサービングセルと同様のセルであり、移動局とネットワークとの間の接続性を担保するためのセルである。他方、セカンダリセルは、プライマリセルに追加されて移動局に設定されるセルである。セカンダリセルの追加及び削除は、ＲＲＣ（Radio Resource Control）のコンフィギュレーション（Configuration）により実行される。
【０００５】
ＬＴＥ  Ｒｅｌｅａｓｅ  １０（Ｒｅｌ−１０）までのキャリアアグリゲーションでは、図１Ａに示されるように、移動局が同一の基地局により提供される複数のコンポーネントキャリアを用いて同時通信することが規定されている。一方、Ｒｅｌ−１２では、Ｒｅｌ−１０のキャリアアグリゲーションがさらに拡張され、図１Ｂに示されるように、移動局が複数の基地局により提供される複数のコンポーネントキャリアを用いて同時通信するデュアル・コネクティビティ（Dual Connectivity）が検討されている。例えば、全てのコンポーネントキャリアを単一の基地局内に収容できない場合、Ｒｅｌ−１０と同程度のスループットを実現するためには、Dual Connectivityが効果的に利用されると考えられる（非特許文献１参照）。
【０００６】
Dual Connectivityでは、図２に示されるように、移動局（ＵＥ）は、１つのＥＰＳ（Evolved Packet System）ベアラ又はパケットシーケンスを所定の方法により分割し、分割された各パケットシーケンスを複数の基地局（ｅＮＢ＃１，ｅＮＢ＃２）によって提供されたコンポーネントキャリアを用いて同時送信するベアラスプリット（Bearer Split）が検討されている。具体的には、図示されるように、移動局は、送信対象のＥＰＳベアラを特定の比率（図示された例では、ｅＮＢ＃１：ｅＮＢ＃２＝４：３）でｅＮＢ＃１及びｅＮＢ＃２宛てのパケットシーケンスに分割し、分割した各パケットシーケンスをそれぞれコンポーネントキャリアＣＣ＃１，ＣＣ＃２により基地局ｅＮＢ＃１，ｅＮＢ＃２に送信する。ＣＣ＃２を介し分割されたパケットシーケンスを受信すると、非アンカーノード基地局であるｅＮＢ＃２は、受信したパケットシーケンスをアンカー基地局であるｅＮＢ＃１に転送する。ｅＮＢ＃２から転送されたパケットシーケンスを受信すると、ｅＮＢ＃１は、ＣＣ＃１を介し受信したパケットシーケンスと、ｅＮＢ＃２から受信したパケットシーケンスとをリオーダリングすることによって移動局からのパケットシーケンスを再構成し、再構成したパケットシーケンスをコアノード（ＣＮ：Core Node）に転送する。
【先行技術文献】
【非特許文献】
【０００７】
【非特許文献１】3GPP TR36.842 V12.0.0 (2013-12), "Study on Small Cell enhancements for E-UTRA and E-UTRAN; Higher layer aspects"
【発明の概要】
【発明が解決しようとする課題】
【０００８】
上りリンクデータのベアラスプリットを実行する際のパケットの割り振り方法について、上りリンクデータを各コンポーネントキャリア又はセルグループ（ＣＧ：Cell Group）に割り振るデータ量の比率（図２の例では、ｅＮＢ＃１：ｅＮＢ＃２＝４：３）をセミスタティックに設定する方法が検討されている。
【０００９】
しかしながら、セミスタティックなデータ量比率設定方法では、データ量の比率が適切に設定されなかった場合、上りリンクのスループットを向上させることができない可能性がある。例えば、通信品質の劣化により、あるセルが割り振られたデータを送信するのに十分なスループットを実現できない場合、送信対象の上りリンクデータを保持する送信バッファにおいて、当該セルに割り振られたデータが滞留することになる。
【００１０】
一方、同じ上りリンクデータのデータ量を双方の基地局（図２の例では、ｅＮＢ＃１及びｅＮＢ＃２）に報告する方法（double Buffer Status Reporting又はdouble BSR）も検討されている。
【００１１】
しかしながら、同じ上りリンクデータのデータ量を双方の基地局（図２の例では、ｅＮＢ＃１及びｅＮＢ＃２）に報告する方法では、双方の基地局で重複して無線リソースが割り当てられる可能性があり、この場合、無線リソースの無駄になる可能性がある。
【００１２】
上記問題点に鑑み、本発明は、Dual Connectivityにおいて上りリンクデータを効率的に送信することを目的とする。
【課題を解決するための手段】
【００１３】
本発明の一形態に係る移動局は、
複数の基地局の配下のコンポーネントキャリアを用いて通信する移動局であって、
基地局から、上りリンクデータのデータ量の報告方法に関する設定情報を受信する受信部と、
送信バッファに格納されている上りリンクデータのデータ量を管理するバッファ状態管理部と、
上りリンクデータのデータ量をマスター基地局とセカンダリ基地局との双方に報告することが前記設定情報によって禁止されているか否かを判断し、禁止されている場合、上りリンクデータのデータ量を報告する基地局が前記設定情報によって指定されているか否かを更に判断し、指定されている場合には当該指定された基地局を上りリンクデータのデータ量の送信先として選択する送信制御部と、
選択された基地局に上りリンクデータのデータ量を報告する送信部と、
を有することを特徴とする。
【００１４】
本発明の一形態に係る上りリンクデータ量報告方法は、
基地局から、上りリンクデータのデータ量の報告方法に関する設定情報を受信するステップと、
送信バッファに格納されている上りリンクデータのデータ量を管理するステップと、
上りリンクデータのデータ量をマスター基地局とセカンダリ基地局との双方に報告することが前記設定情報によって禁止されているか否かを判断し、禁止されている場合、上りリンクデータのデータ量を報告する基地局が前記設定情報によって指定されているか否かを更に判断し、指定されている場合には当該指定された基地局を上りリンクデータのデータ量の送信先として選択するステップと、
選択された基地局に上りリンクデータのデータ量を報告するステップと、
を有することを特徴とする。
【発明の効果】
【００１５】
本発明によれば、Dual Connectivityにおいて上りリンクデータを効率的に送信することが可能になる。
【図面の簡単な説明】
【００１６】
【図１Ａ】キャリアアグリゲーションの概略図（１つの基地局のＣＣを用いたキャリアアグリゲーション）
【図１Ｂ】キャリアアグリゲーションの概略図（複数の基地局のＣＣを用いたキャリアアグリゲーション）
【図２】Dual Connectivityにおけるベアラスプリットを示す概略図
【図３Ａ】本発明の実施例に係る通信システムにおけるＢＳＲ送信を示す概略図（指定された基地局にＢＳＲを送信する方法）
【図３Ｂ】本発明の実施例に係る通信システムにおけるＢＳＲ送信を示す概略図（いずれかの基地局にＢＳＲを送信する方法）
【図３Ｃ】本発明の実施例に係る通信システムにおけるＢＳＲ送信を示す概略図（双方の基地局にＢＳＲを送信する方法）
【図４】本発明の実施例に係る基地局の構成図
【図５】本発明の実施例に係る移動局の構成図
【図６】本発明の実施例に係る上りリンクデータのリソース割り当て方法を示すシーケンス図
【図７】本発明の実施例に係る移動局の動作を示すフローチャート
【発明を実施するための形態】
【００１７】
以下、図面に基づいて本発明の実施の形態を説明する。
【００１８】
本発明の実施例では、複数の基地局の配下のコンポーネントキャリアを用いて通信する移動局を含む通信システムについて説明する。キャリアアグリゲーション（ＣＡ）の中でも、移動局が異なる基地局の配下のコンポーネントキャリア（ＣＣ）を用いて通信する接続形態をDual Connectivityと呼ぶ。Dual Connectivityにおいて、プライマリセル（ＰＣｅｌｌ）に対応する基地局は、マスター基地局（ＭｅＮＢ：Master eNB）と呼ばれ、セカンダリセル（ＳＣｅｌｌ）に対応する基地局は、セカンダリ基地局（ＳｅＮＢ：Secondary eNB）と呼ばれる。
【００１９】
Dual Connectivityにおいて、移動局が上りリンクデータを送信するために、基地局に上りリンクデータのデータ量を示すバッファステータスレポート（ＢＳＲ：Buffer Status Report）を送信する必要がある。
【００２０】
図３Ａ〜図３Ｃに示されるように、ＢＳＲを送信する方法として、以下の３つの方法が考えられる。
【００２１】
（Ａ）指定された基地局にＢＳＲを送信する方法（図３Ａ）
基地局が事前にＲＲＣシグナリングにより、同じ上りリンクデータのデータ量を双方の基地局に報告すること（double BSR）を禁止する。更に、基地局は、移動局が上りリンクデータを送信すべき基地局を指定する。この場合、移動局は、指定された基地局にＢＳＲを送信する。
【００２２】
（Ｂ）いずれかの基地局にＢＳＲを送信する方法（図３Ｂ）
基地局が事前にＲＲＣシグナリングにより、同じ上りリンクデータのデータ量を双方の基地局に報告することを禁止する。基地局は、移動局が上りリンクデータを送信すべき基地局を指定しない。この場合、移動局は、いずれかの基地局にＢＳＲを送信する。
【００２３】
（Ｃ）双方の基地局にＢＳＲを送信する方法（図３Ｃ）
基地局が事前にＲＲＣシグナリングにより、同じ上りリンクデータのデータ量を双方の基地局に報告することを許可する。この場合、移動局は、双方の基地局にＢＳＲを送信する。
【００２４】
本発明の実施例では、基地局は、ＢＳＲの報告方法として、図３Ａ〜図３Ｃのうちいずれかを示す設定情報を移動局に送信する。移動局は、受信した設定情報に従って、ＢＳＲの送信先の基地局を選択し、選択された基地局にＢＳＲを送信する。
【００２５】
＜無線通信システムの構成＞
図３Ａ〜図３Ｃに示されるように、無線通信システムは、移動局（ＵＥ）及び基地局（ＭｅＮＢ及びＳｅＮＢ）を有する。無線通信システムは、移動局が複数の基地局により提供されるコンポーネントキャリアＣＣ＃１，ＣＣ＃２を用いて同時通信するDual Connectivityをサポートし、図示されるように、移動局は、Dual Connectivity機能を利用して、マスター基地局（ＭｅＮＢ）及びセカンダリ基地局（ＳｅＮＢ）と通信する。
【００２６】
移動局は、複数の基地局と同時通信するDual Connectivity機能を有する。典型的には、移動局は、スマートフォン、携帯電話、タブレット、モバイルルータなどの無線通信機能を備えた何れか適切な情報処理装置であってもよい。移動局は、プロセッサなどのＣＰＵ（Central Processing Unit）、ＲＡＭ（Random Access Memory）やフラッシュメモリなどのメモリ装置、基地局との間で無線信号を送受信するための無線通信装置などから構成される。例えば、後述される移動局の各機能及び処理は、メモリ装置に格納されているデータやプログラムをＣＰＵが処理又は実行することによって実現されてもよい。しかしながら、移動局は、上述したハードウェア構成に限定されず、後述する処理の１以上を実現する回路などにより構成されてもよい。
【００２７】
基地局は、移動局と無線接続することによって、コアネットワーク（図示せず）上に通信接続された上位局やサーバなどのネットワーク装置から受信した下りリンク（ＤＬ）パケットを移動局に送信すると共に、移動局から受信した上りリンク（ＵＬ）パケットをネットワーク装置に送信する。図示された実施例では、一方の基地局がマスター基地局（ＭｅＮＢ）又はプライマリ基地局として機能し、他方の基地局がセカンダリ基地局（ＳｅＮＢ）として機能する。Dual Connectivityでは、マスター基地局が、移動局と双方の基地局との間のDual Connectivityによる同時通信を制御すると共に、上位のコアネットワーク（図示せず）との間の通信を制御する。本発明の実施例では、マスター基地局が、ＢＳＲの報告方法として、図３Ａ〜図３Ｃのうちいずれかを示す設定情報を移動局に送信する。
【００２８】
＜基地局の構成＞
図４に、本発明の実施例に係る基地局１０の構成図を示す。基地局１０は、Dual Connectivityによる同時通信のため、移動局に対してコンポーネントキャリアを設定するマスター基地局である。基地局１０は、上りリンク（ＵＬ）信号受信部１０１と、下りリンク（ＤＬ）信号送信部１０３と、コンポーネントキャリア（ＣＣ）設定部１０５と、リソース割り当て部１０７とを有する。
【００２９】
ＵＬ信号受信部１０１は、移動局からの上りリンク信号を受信する。コンポーネントキャリアの設定のために、ＵＬ信号受信部１０１は、移動局から無線品質の測定結果（Measurement Report）を受信する。また、上りリンクデータのリソースの割り当てに関して、ＵＬ信号受信部１０１は、移動局から上りリンクデータのデータ量を示すＢＳＲを受信する。
【００３０】
ＤＬ信号送信部１０３は、移動局への下りリンク信号を送信する。コンポーネントキャリアの設定のために、ＤＬ信号送信部１０３は、移動局にコンポーネントキャリアの設定情報を含むＲＲＣシグナリング（RRC Connection Reconfiguration）を送信する。ＲＲＣシグナリングにより通知されるコンポーネントキャリアの設定情報には、ＢＳＲの報告方法に関する設定情報が含まれる。具体的には、図３Ａ〜図３Ｃに示される３つの方法、すなわち、（Ａ）ＢＳＲをマスター基地局とセカンダリ基地局とのうち指定された基地局に報告する方法（図３Ａ）、（Ｂ）ＢＳＲをマスター基地局とセカンダリ基地局とのいずれかに報告する方法（図３Ｂ）、（Ｃ）ＢＳＲをマスター基地局とセカンダリ基地局との双方に報告する方法（図３Ｃ）のいずれかが含まれる。また、上りリンクデータのリソースの割り当てに関して、ＤＬ信号送信部１０３は、上りリンクデータのリソースを示すリソース割り当て情報（UL grant）を送信する。
【００３１】
ＣＣ設定部１０５は、移動局との間に設定されるコンポーネントキャリアを管理する。移動局が最初に基地局に接続する場合、ＣＣ設定部１０５は、移動局からの接続要求（RRC Connection Request）に対してプライマリセルのコンポーネントキャリアを設定する。また、ＣＣ設定部１０５は、移動局から報告された無線品質の測定結果（Measurement Report）に基づいて、セカンダリセルのコンポーネントキャリアを設定する。上記のように、コンポーネントキャリアの設定情報は、ＲＲＣシグナリングによりＤＬ信号送信部１０３から移動局に送信される。
【００３２】
リソース割り当て部１０７は、移動局から受信したＢＳＲに基づいて、上りリンクのリソースを割り当てる。ただし、図３Ａ又は図３Ｂに示される方法によりＢＳＲを他の基地局（セカンダリ基地局）に送信するように指定した場合、リソース割り当て部１０７は、移動局に対して上りリンクのリソースを割り当てる必要はない。なお、ＢＳＲをマスター基地局とセカンダリ基地局との双方に報告する方法を指定した場合、リソース割り当て部１０７は、他の基地局（セカンダリ基地局）と連携して、重複したリソースを割り当てないようにしてもよい。
【００３３】
＜移動局の構成＞
図５に、本発明の実施例に係る移動局２０の構成図を示す。移動局２０は、ＤＬ信号受信部２０１と、ＵＬ信号送信部２０３と、ＣＣ設定部２０５と、送信バッファ部２０７と、バッファ状態管理部２０９と、送信制御部２１１とを有する。
【００３４】
ＤＬ信号受信部２０１は、基地局からの下りリンクの信号を受信する。コンポーネントキャリアの設定のために、ＤＬ信号受信部２０１は、基地局からコンポーネントキャリアの設定情報を含むＲＲＣシグナリング（RRC Connection Reconfiguration）を受信する。上記のように、ＲＲＣシグナリングにより通知されるコンポーネントキャリアの設定情報には、ＢＳＲの報告方法に関する設定情報が含まれる。また、上りリンクデータのリソースの割り当てに関して、ＤＬ信号受信部２０１は、上りリンクデータのリソースを示すリソース割り当て情報（UL grant）を受信する。
【００３５】
ＵＬ信号送信部２０３は、基地局への上りリンクの信号を送信する。コンポーネントキャリアの設定のために、ＵＬ信号送信部２０３は、無線品質の測定結果（Measurement Report）を基地局に送信する。また、上りリンクデータのリソースの割り当てに関して、ＵＬ信号送信部２０３は、上りリンクデータのデータ量を示すＢＳＲを基地局に送信する。
【００３６】
ＣＣ設定部２０５は、基地局からのコンポーネントキャリアの設定情報に従って、基地局との間にコンポーネントキャリアを設定する。移動局が最初に基地局に接続する場合、ＣＣ設定部２０５は、コンポーネントキャリアの設定情報（RRC Connection Reconfiguration）に従ってプライマリセルのコンポーネントキャリアを設定する。その後、セカンダリセルを追加する場合、ＣＣ設定部２０５は、セカンダリセルのコンポーネントキャリアの設定情報（RRC Connection Reconfiguration）に従ってセカンダリセルのコンポーネントキャリアを設定する。
【００３７】
送信バッファ部２０７は、送信対象の上りリンクデータを格納する記憶装置である。
【００３８】
バッファ状態管理部２０９は、送信バッファ部２０７に格納されているデータ量を管理する。例えば、バッファ状態管理部２０９は、送信バッファ部２０７に格納されているデータのバイト数を決定し、決定したバイト数を送信制御部２１１に通知する。また、バッファ状態管理部２０９は、送信バッファ部２０７に格納されているデータ量をモニタリングし、定期的に又は所定の通知イベントの発生に応答して、モニタリングしたデータ量を送信制御部２１１に通知してもよい。また、バッファ状態管理部２０９は、送信制御部２１１からの指示に応答して、送信バッファ部２０７に格納されているデータ量を検出し、検出したデータ量を送信制御部２１１に通知してもよい。
【００３９】
送信制御部２１１は、ＢＳＲの報告方法に関する設定情報に従って、ＢＳＲの送信先の基地局を選択する。
【００４０】
送信制御部２１１は、ＢＳＲをマスター基地局とセカンダリ基地局とのうち指定された基地局に報告する方法（図３Ａ）が通知された場合、ＢＳＲの送信先として、指定された基地局を選択する。この場合、指定された基地局に送信されるＢＳＲは、バッファ状態管理部２０９で管理されている上りリンクデータのデータ量を示す。
【００４１】
また、送信制御部２１１は、ＢＳＲをマスター基地局とセカンダリ基地局とのいずれかに報告する方法（図３Ｂ）が通知された場合、ＢＳＲの送信先として、マスター基地局とセカンダリ基地局とのいずれかを選択する。この場合、マスター基地局が選択されてもよく、セカンダリ基地局が選択されてもよく、ＢＳＲの送信毎にマスター基地局とセカンダリ基地局が交互に又は特定の比率で選択されてもよい。マスター基地局とセカンダリ基地局が特定の比率で選択される場合、ＢＳＲを報告する際に、上りリンクデータのデータ量がその割合で分割されてもよい。例えば、マスター基地局とセカンダリ基地局が４：３の比率で選択される場合、バッファ状態管理部２０９で管理されている上りリンクデータのデータ量のうち４／７をマスター基地局に報告し、３／７をセカンダリ基地局に報告してもよい。
【００４２】
また、送信制御部２１１は、ＢＳＲをマスター基地局とセカンダリ基地局との双方に報告する方法（図３Ｃ）が選択された場合、ＢＳＲの送信先として、マスター基地局とセカンダリ基地局との双方を選択する。この場合、マスター基地局とセカンダリ基地局との双方に送信されるＢＳＲは、バッファ状態管理部２０９で管理されている同じ上りリンクデータのデータ量を示す。
【００４３】
＜基地局及び移動局の動作＞
図６に、本発明の実施例に係る上りリンクデータのリソース割り当て方法を示す。
【００４４】
移動局（ＵＥ）のＵＬ信号送信部２０３は、定期的に無線品質の測定結果（Measurement Report）をマスター基地局（ＭｅＮＢ）に送信する（ステップＳ１０１）。マスター基地局のＣＣ設定部１０５は、無線品質の測定結果（Measurement Report）に基づいてプライマリセル又はセカンダリセルのコンポーネントキャリアを設定し、ＤＬ信号送信部１０３から、コンポーネントキャリアの設定情報を含むＲＲＣシグナリング（RRC Connection Reconfiguration）を送信する（ステップＳ１０３）。このRRC Connection Reconfigurationには、ＢＳＲの送信方法に関する設定情報が含まれる。移動局のＣＣ設定部２０５は、コンポーネントキャリアの設定情報に従ってコンポーネントキャリアを設定し、コンポーネントキャリアの設定が完了した場合、ＵＬ信号送信部２０３から、完了通知（RRC Connection Reconfiguration Complete）を基地局に送信する（ステップＳ１０５）。
【００４５】
移動局に上りリンクデータが発生した場合、移動局のバッファ状態管理部２０９は、送信バッファ部２０７に格納されているデータ量を送信制御部２１１に通知する。移動局の送信制御部２１１は、RRC Connection Reconfigurationに含まれるＢＳＲの報告方法に関する設定情報に従って、上りリンクデータのデータ量の送信先の基地局を選択し、ＵＬ信号送信部２０３は、上りリンクデータのデータ量を示すＢＳＲを基地局に送信する（ステップＳ１０７）。図６に示される例では、ＢＳＲが双方の基地局に送信されているが、RRC Connection Reconfigurationに含まれるＢＳＲの報告方法に関する設定情報に従って、ＢＳＲは指定された基地局、いずれかの基地局又は双方の基地局に送信される。
【００４６】
基地局のリソース割り当て部１０７は、移動局から受信したＢＳＲに基づいて、上りリンクのリソースを割り当て、ＤＬ信号送信部１０３から、リソース割り当て情報（UL grant）を移動局に送信する（ステップＳ１０９）。図６に示される例では、UL grantが双方の基地局から送信されているが、UL grantはＢＳＲを受信した基地局（指定された基地局、いずれかの基地局又は双方の基地局）から送信される。
【００４７】
次に、移動局における動作について詳細に説明する。
【００４８】
図７に、本発明の実施例に係る移動局の動作を示すフローチャートを示す。
【００４９】
移動局のバッファ状態管理部２０９は、定期的に又は所定の通知イベントの発生に応答して、上りリンクデータが発生したか否かを検出し（ステップＳ２０１）、上りリンクデータが発生した場合、以降の処理を実施する。
【００５０】
送信制御部２１１は、基地局からのＲＲＣコンフィグレーションにより、同じデータ量のＢＳＲを双方の基地局に送信すること（double BSR）が禁止されているか否かを確認する（ステップＳ２０３）。双方の基地局へのＢＳＲの送信が禁止されていない場合（ステップＳ２０３：ＮＯ）、送信制御部２１１は、ＵＬ信号送信部２０３から、同じデータ量のＢＳＲを双方の基地局に送信する（ステップＳ２０５）。
【００５１】
双方の基地局へのＢＳＲの送信が禁止されている場合（ステップＳ２０３：ＹＥＳ）、送信制御部２１１は、上りリンクデータを送信する基地局、すなわち、ＢＳＲを送信する基地局が指定されているか否かを確認する（ステップＳ２０７）。ＢＳＲを送信する基地局が指定されている場合（ステップＳ２０７：ＹＥＳ）、送信制御部２１１は、ＵＬ信号送信部２０３から、指定された基地局にＢＳＲを送信する（ステップＳ２０９）。ＢＳＲを送信する基地局が指定されていない場合（ステップＳ２０７：ＮＯ）、送信制御部２１１は、ＵＬ信号送信部２０３から、いずれかの基地局にＢＳＲを送信する（ステップＳ２１１）。
【００５２】
＜実施例の効果＞
本発明の実施例によれば、Dual Connectivityにおいて上りリンクデータを効率的に送信することが可能になる。より具体的には、セミスタティックなデータ量比率設定方法に比べて、ユーザ当たりの上りリンクデータのスループットを改善することが可能になる。
【００５３】
また、双方の基地局に同じデータ量のＢＳＲを送信する方法（double BSR）は、マスター基地局とセカンダリ基地局とで連携して無線リソースを割り当てることができる場合にのみ許可することができ、無線リソースの無駄を回避することができる。
【００５４】
説明の便宜上、本発明の実施例に係る基地局及び移動局は機能的なブロック図を用いて説明しているが、本発明の実施例に係る基地局及び移動局は、ハードウェア、ソフトウェアまたはそれらの組み合わせで実現されてもよい。また、各機能部が必要に応じて組み合わせて使用されてもよい。また、本発明の実施例に係る方法は、実施例に示す順序と異なる順序で実施されてもよい。
【００５５】
以上、Dual Connectivityにおいて上りリンクデータを効率的に送信するための手法について説明したが、本発明は、上記の実施例に限定されることなく、請求の範囲内において、種々の変更・応用が可能である。
【００５６】
以上の実施例に関し、更に、以下の項目を開示する。
【００５７】
（１）複数の基地局の配下のコンポーネントキャリアを用いて通信する移動局であって、
基地局から、上りリンクデータのデータ量の報告方法に関する設定情報を受信する受信部と、
送信バッファに格納されている上りリンクデータのデータ量を管理するバッファ状態管理部と、
上りリンクデータのデータ量の報告方法に関する設定情報に従って、上りリンクデータのデータ量の送信先の基地局を選択する送信制御部と、
選択された基地局に上りリンクデータのデータ量を報告する送信部と、
を有する移動局。
【００５８】
（２）前記送信制御部は、上りリンクデータのデータ量をマスター基地局とセカンダリ基地局とのうち指定された基地局に報告する方法を示す設定情報が受信された場合、上りリンクデータのデータ量の送信先として、指定された基地局を選択する、（１）に記載の移動局。
【００５９】
（３）前記送信制御部は、上りリンクデータのデータ量をマスター基地局とセカンダリ基地局とのいずれかに報告する方法を示す設定情報が受信された場合、上りリンクデータのデータ量の送信先として、マスター基地局とセカンダリ基地局とのいずれかを選択する、（１）に記載の移動局。
【００６０】
（４）前記送信制御部は、上りリンクデータのデータ量をマスター基地局とセカンダリ基地局との双方に報告する方法を示す設定情報が受信された場合、上りリンクデータのデータ量の送信先として、マスター基地局とセカンダリ基地局との双方を選択する、（１）に記載の移動局。
【００６１】
（５）前記受信部は、マスター基地局からのＲＲＣ（Radio Resource Control）シグナリングにより設定情報を受信する、（１）乃至（４）のうちいずれか１項に記載の移動局。
【００６２】
（６）移動局が複数の基地局の配下のコンポーネントキャリアを用いて通信する無線通信システムにおける基地局であって、
上りリンクデータのデータ量の報告方法に関する設定情報を送信する送信部と、
上りリンクデータのデータ量の報告方法に関する設定情報に従って、上りリンクデータを送信するためのリソースを割り当てるリソース割り当て部と、
を有する基地局。
【００６３】
（７）複数の基地局の配下のコンポーネントキャリアを用いて通信する移動局での上りリンクデータ量報告方法であって、
基地局から、上りリンクデータのデータ量の報告方法に関する設定情報を受信するステップと、
送信バッファに格納されている上りリンクデータのデータ量を管理するステップと、
上りリンクデータのデータ量の報告方法に関する設定情報に従って、上りリンクデータのデータ量の送信先の基地局を選択するステップと、
選択された基地局に上りリンクデータのデータ量を報告するステップと、
を有する上りリンクデータ量報告方法。
【００６４】
（８）移動局が複数の基地局の配下のコンポーネントキャリアを用いて通信する無線通信システムにおける基地局での上りリンクデータのリソース割り当て方法であって、
上りリンクデータのデータ量の報告方法に関する設定情報を送信するステップと、
上りリンクデータのデータ量の報告方法に関する設定情報に従って、上りリンクデータを送信するためのリソースを割り当てるステップと、
を有する上りリンクデータのリソース割り当て方法。
【００６５】
本国際出願は２０１４年５月７日に出願した日本国特許出願２０１４−０９６０８４号に基づく優先権を主張するものであり、２０１４−０９６０８４号の全内容を本国際出願に援用する。
【符号の説明】
【００６６】
１０    基地局
１０１  ＵＬ信号受信部
１０３  ＤＬ信号送信部
１０５  ＣＣ設定部
１０７  リソース割り当て部
２０    移動局
２０１  ＤＬ信号受信部
２０３  ＵＬ信号送信部
２０５  ＣＣ設定部
２０７  送信バッファ部
２０９  バッファ状態管理部
２１１  送信制御部
【図１Ａ】
2018093536.tif 000003
【図１Ｂ】
2018093536.tif 000004
【図２】
2018093536.tif 000005
【図３Ａ】
2018093536.tif 000006
【図３Ｂ】
2018093536.tif 000007
【図３Ｃ】
2018093536.tif 000008
【図４】
2018093536.tif 000009
【図５】
2018093536.tif 000010
【図６】
2018093536.tif 000011
【図７】
2018093536.tif 000012